(57)【要約】【課題】筆記芯に対して負荷が大きく掛かることになる軸筒を斜めにして筆記を行う際の芯折れを防止することができるシャープペンシルを簡単な構成で得ることを目的とする。【解決手段】軸筒２と、筆記芯５を繰り出すための芯繰出ユニット７と、前記軸筒２の前方に回動可能に装着され前記筆記芯５の通路８ａを有した先口部材８とを備え、前記先口部材８が、該先口部材８の前端部８ｂに前記軸筒２の軸心に沿った前方へ突出し且つ先端８ｉｉに軸心と直交する径方向の平担面と該平坦面の前記通路側に設けた面取部８ｉｉｉとが形成された突出部８ｉを有し、該先口部材８の一部に当該先口部材８を重力で回動させる錘部８１を有し、前記軸筒２を斜めにした状態で前記筆記芯５を被筆記面Ｓに当接する際、前記先口部材８が重力で回動して前記突出部８ｉが前記筆記芯５の外周面５ｂにおける上面に位置することを特徴としたシャープペンシル１。【選択図】図１
2017140808.tif 000002
【特許請求の範囲】
【請求項１】
軸筒と、筆記芯を繰り出すための芯繰出ユニットと、前記軸筒の前方に回動可能に装着され前記筆記芯の通路を有した先口部材とを備え、前記先口部材が、該先口部材の前端部に、前記軸筒の軸心に沿った前方へ突出し且つ先端に軸心と直交する径方向の平担面と該平坦面の前記通路側に設けた面取部とが形成された突出部を有し、該先口部材の一部に、当該先口部材を重力で回動させる錘部を有し、前記軸筒を斜めにした状態で前記筆記芯を被筆記面に当接する際、前記先口部材が重力で回動して前記突出部が前記筆記芯の外周面における上面に位置することを特徴としたシャープペンシル。
【請求項２】
前記先口部材が前記軸筒に対し、後方へ移動可能に係止されていることを特徴とした請求項１に記載のシャープペンシル。
【発明の詳細な説明】
【技術分野】
【０００１】
本発明は、軸筒の内部に収容した筆記芯を該軸筒より繰り出して先端部から突出させた状態で使用するシャープペンシルに関したものである。
【背景技術】
【０００２】
筆記芯の前端部を軸筒の先端部から突出させて使用するシャープペンシルでは、軸筒の先端部から突出させる筆記芯の前端部が長ければ長いほど、あるいは筆圧が高ければ高いほど、軸筒の先端部より突出した筆記芯の前端部に負担が掛かって折れやすいという問題が存在する。
この問題を解決しようとするシャープペンシルが、例えば特許文献１や特許文献２に記載されている。
【０００３】
前記特許文献１では、チャックに挟持された筆記芯に、軸筒の軸心に沿った後方への過大な筆圧が掛かった際、その押圧力を軸筒内に配設した緩衝スプリングにて緩衝して芯折れを防止する構造のシャープペンシルが記載されている。
この構造では、シャープペンシルの軸筒を立てて筆記する場合の筆圧に対しては、軸心に沿った方向に伸び縮みする緩衝スプリングが有効に機能するが、一般的に使用者は紙面に対し軸筒を傾けて筆記を行うため、緩衝スプリングが有効には機能せず、芯折れを防止しきれないことがある。特に軸筒を傾けて筆記を行う場合には、筆記芯に軸筒の軸心に対して斜めの筆圧が掛かることから、シャープペンシルの細い芯では負荷が大きく、特許文献１の構造であっても芯折れの問題が発生しやすい。
【０００４】
前記特許文献２では、筆記芯に軸心と沿った後方への過大な筆圧が掛かった際は、前記特許文献１と同様に、筆記芯がホルダー内に没入することで保護され、軸筒を紙面に対して傾けて筆記することによりチャックに挟持された筆記芯に軸筒の軸心に対する斜めの筆圧が掛かった際には、ホルダーが軸筒の前方へ移動して筆記芯を保護する構造のシャープペンシルが記載されている。
この構造は、軸筒を斜めにして筆記を行う際の芯折れを考慮したものとなっているが、当該特許文献２に記載されている通り、部品点数が多く、構造も複雑になることから、低価格のシャープペンシルには採用し難いという問題がある。
【先行技術文献】
【特許文献】
【０００５】
【特許文献１】実開昭５６−１３０８７４号公報
【特許文献２】特開２０１５−１２３６８９号公報
【発明の概要】
【発明が解決しようとする課題】
【０００６】
本発明は、上記問題に鑑みて行われたものであり、筆記芯に対して負荷が大きく掛かることになる軸筒を斜めにして筆記を行う際の芯折れを防止することができるシャープペンシルを簡単な構成で得ることを目的とする。
【課題を解決するための手段】
【０００７】
本発明は、
「１．軸筒と、筆記芯を繰り出すための芯繰出ユニットと、前記軸筒の前方に回動可能に装着され前記筆記芯の通路を有した先口部材とを備え、前記先口部材が、該先口部材の前端部に、前記軸筒の軸心に沿った前方へ突出し且つ先端に軸心と直交する径方向の平担面と該平坦面の前記通路側に設けた面取部とが形成された突出部を有し、該先口部材の一部に、当該先口部材を重力で回動させる錘部を有し、前記軸筒を斜めにした状態で前記筆記芯を被筆記面に当接する際、前記先口部材が重力で回動して前記突出部が前記筆記芯の外周面における上面に位置することを特徴としたシャープペンシル。
２．前記先口部材が前記軸筒に対し、後方へ移動可能に係止されていることを特徴とした前記１項に記載のシャープペンシル。」である。
【０００８】
本発明によるシャープペンシルでは、筆記芯に対して軸筒の軸心に対する斜めの筆圧が掛かった際に、先口部材の前端に設けた突出部が筆記芯の外周面における上面に位置するため、筆記芯が折れやすい上方への変形を防止させることができる。
先口部材を重力により軸周方向へ回動させる錘部は、その形態や設ける位置が限定されることはなく、例えば、先口部材本体に対して別体で形成した錘体（錘部）を固設したり、先口部材の一部（錘部）を他と比べて重い材料で形成したり、あるいは先口部材の一部（錘部）以外を薄肉で形成したり穴を穿孔することで、先口部材の軸周方向において錘部が相対的に他の部分より重く、重力により先口部材が軸周方向に回動して、当該先口部材の前端部に形成した突出部が、筆記芯の外周面における上面に位置するよう構成すればよい。
尚、筆記芯を繰り出す操作は、軸筒が斜めの状態で側方から見て行われることが多いことから、先口部材の突出部で筆記芯の外周面を被覆し過ぎないようにする必要がある。例えば、筆記芯が長く露出することとなる基部（突出部とは軸心に対して反対に位置）から該突出部の先端までを斜めの縁辺で連接させる形態とした場合には、使用者は最も被筆記面に接することとなる基部側における筆記芯の突出量に注目して繰り出し操作を行うこととなり、結果、突出部側における筆記芯の該突出部の先端からの突出量が短くなって芯折れが防止される構造となる。これに対し、突出部が筆記芯を被覆し過ぎる形態では、使用者は、筆記芯を繰り出す際に、その突出量を判断する基準が基部側ではなく突出部の先端からの長さに注目してしまい、結果、芯折れを防止し難くなってしまう。
したがって、前述した基部から突出部の先端までを斜めの縁辺で連接する場合においても、その縁辺を、筆記芯の通路がある側に向かって凹む弧状に形成することで、繰り出し操作時において筆記芯の側面の露出が多くなり、突出量を判断する基準となる基部側が見やすいものとなる。
【０００９】
また、先口部材の前端部にさらに突出部を設けることから、その前端部が鋭くならないようにするために、突出部の先端は軸心と直交する径方向の平坦面で形成する。これにより、シャープペンシルを筆入れに収容したり、胸ポケットに挿着した際における、先口部材の前端部に接触したものの傷つきを防止することが可能となる。尚、平坦部は、幾何学的に平坦である必要はなく、前方へ緩やかに膨出するような形態であってもよい。
さらに、平坦面における前記筆記芯の通路側に面取部を設けるのは、先口部材が筆記芯を回転軸に回動する場合においても、平坦面の内側の角部で筆記芯の外周面に円環状の溝を削ってしまうことによる芯折れが防止されるためである。
尚、先口部材の前端に設ける突出部は、その内面を、筆記芯の外面と面接触するよう形成することにより、筆圧が掛かった際に上方へ変形しようとする筆記芯を面で支えることができ、さらに筆記芯が折れ難い構造を得ることができる。
【００１０】
さらに、先口部材を軸筒に対して後方へ移動できるよう係止させることで、連続した筆記により筆記芯が摩耗して先口部材の前端部と筆記芯の前端部とが揃った際には、被筆記面に対し突出部が当接した先口部材が後退することとなり、筆記を継続させることができる。この場合、先口部材の前端部における突出部の反対側、つまり軸筒を斜めにした状態で筆記芯を被筆記面に当接させた際に該筆記芯の外周面における下方に位置する基部が前記突出部より後方へ位置することから、先口部材の基部が紙面など被筆記面に接触し難い構造となって筆記が行いやすくなる。また、先口部材の前端部が紙面に接触する場合には、前述した突出部の面取部が紙面に接触することで、先口部材の前端部で紙面が傷付けられてしまうことの防止ができる。
【発明の効果】
【００１１】
本発明では、筆記芯に対して負荷が大きく掛かることになる軸筒を斜めにして筆記を行う際の芯折れを防止することができるシャープペンシルを簡単な構成で得ることができた。
【図面の簡単な説明】
【００１２】
【図１】本実施例のシャープペンシルの要部断面図である。
【図２】本実施例の先口部材の外観図であり、図２Ａは側面図で、図２Ｂは図２Ａを左方から見た図で、図２Ｃは図２Ａを右方から見た図である。
【図３】本実施例の先口部材の断面図であり、図３Ａは縦断面図で、図３Ｂは図３ＡのＢ−Ｂ線断面図で、図３Ｃは図３ＡのＣ−Ｃ線断面図である。
【図４】本実施例のシャープペンシルで連続した筆記を行っている状態を示す要部断面図である。
【発明を実施するための形態】
【００１３】
本実施例の説明では、筆記芯が突出する方を前方と表現し、その反対側を後方と表現する。説明を分かりやすくするために、図面中の同様の部材、同様の部分については同じ符号を付してある。
【００１４】
以下、図１〜図３に基づいて本実施例のシャープペンシルを説明する。
シャープペンシル１の軸筒２は、軸筒本体３と、該軸筒本体３の前方に螺合した口金４とを有している。
軸筒本体３の内部には、筆記芯５を繰り出すチャック６を有した芯繰出ユニット７が収容されており、該芯繰出ユニット７の前方となる前記口金４の内方には、前記筆記芯５の通路８ａを有した先口部材８が装着されている。
尚、本実施例の先口部材８は、軸筒２の内部に回動可能に装着されており、その後方に空間部を設けたことで、軸筒２に対して後退可能になっている。
【００１５】
芯繰出ユニット７は、軸筒本体３の後端から突出させたノック体（図示せず）を押動することにより、ノック体に連結した芯タンク９を介して作動する。芯タンク９は、芯タンク９の開口部９ａに後方部１０ａを挿着した筒状の連結体１０を介して前記筆記芯５を挟持するチャック６と連結してあり、チャック６が、ノック体及び芯タンク９の前後動に従動するようにしてある。
【００１６】
前記連結体１０は、前方部１０ｂを、前端に外段１１ａと内段１１ｂとを形成した中空の円筒部材１１の後方に形成した開口部１１ｃに挿通させており、円筒部材１１は、外側面に形成した突起部１１ｄと前記外段１１ａとの間に、軸筒本体３の前方内面に形成した内段３ａを係止させ固定してある。
また、円筒部材１１の内段１１ｂと連結体１０の前端との間にはチャックスプリング１２を配設してあり、円筒部材１１の内段１１ｂに当接したチャックスプリング１２により連結体１０を後方へ弾発し、後端部６ａが連結体１０の開口部１０ｃに嵌着されたチャック６の頭部６ｂを、円筒部材１１の内段１１ｂに当接した締めリング１３で締めて、筆記芯５が筆圧で後退しないよう挟持してある。本実施例のチャック６は、円筒部材１１の窓部１１ｅに遊嵌させており、頭部６ｂは三つに分割して筆記芯５を挟持できるようにしてある。
【００１７】
筆記により消耗した筆記芯５の前端部５ａを、先口部材８の前端部８ｂから突出させる際には、ノック体の押動で前進する芯タンク９で連結体１０及びチャック６を前進させ、チャック６の頭部６ｂに外嵌した締めリング１３が、軸筒本体３の内部に固定した内先口１４の前方内面に設けた内鍔１４ａに当接してチャック６が開くまで、チャック６により筆記芯５が前進して、先口部材８の前端部８ｂから筆記芯５の前端部５ａを突出させることができる。
尚、チャック６の前進は、チャック６の先端が内先口１４の内鍔１４ａに当接することで規制され、筆記芯５を繰り出した後にノック体の押動を止めると、チャックスプリング１２の弾発力で連結体１０及びチャック６が後退することになるが、筆記芯５は、再び締めリング１３がチャック６の頭部６ｂを締めるまで、先口部材８の内方に装着した芯ホルダー１５で保持されるので、筆記芯５の前端部５ａが先口部材８の前端部８ｂから突出した状態で維持することができる。
また、先口部材８が筆記芯５の消耗に伴って後退した場合（図４参照）、筆記芯５の繰り出し時において、チャック６の頭部６ｂが先口部材８の後方開口部８ｃを押動して、先口部材８に形成した外テーパー８ｄが口金４に形成した内テーパー４ｂに当接するまで該先口部材８が前進することで、図１の状態に戻る。
【００１８】
次に、本実施例の先口部材８について詳述すると、先口部材８は、先口部材本体８０の前方に前記口金４の開口４ａから突出するパイプ状の前記前端部８ｂを突設させており、先口部材８の内方には合成ゴムからなる前記芯ホルダー１５を装着してある。芯ホルダー１５は、内方に形成した貫通孔１５ａの前方に筆記芯５より若干小径の小径孔１５ｂを形成してあり、筆記芯５の繰り出し時において、当該筆記芯５を適度な力で保持できるようにしてある。
本実施例では、先口部材８の内方に、大径孔８ｅと小径孔８ｆとで構成した係止孔８ｇと、前記大径孔８ｅの後端で内方へ突出する係止突起８ｈとを形成してある。前記芯ホルダー１５は、前記先口部材８の大径孔８ｅより若干小径の大径部１５ｃと、前記先口部材８の小径孔８ｆより若干小径の小径部１５ｄとを形成してあり、先口部材８の後方開口部８ｃ側から芯ホルダー１５を挿通させて、芯ホルダー１５の小径部１５ｄが先口部材８の小径孔８ｆに係止され、芯ホルダー１５の大径部１５ｃが先口部材８の大径孔８ｅに係止され、先口部材８の係止孔８ｇに対して芯ホルダー１５を、回動可能で前後動不能となるよう遊嵌させており、芯ホルダー１５が筆記芯５を保持した状態であっても、先口部材８が滑らかに回動することができる。尚、芯ホルダー１５は、先口部材８の前記係止突起８ｈで後方への抜け止めがされている。
【００１９】
また、本実施例の先口部材８は、錘部を前記先口部材本体８０の外周に、該先口部材本体８０の外方へ向かって突出する錘体８１を固着することで設けてある。錘体８１は、先口部材本体８０の外面に形成した二つの凹部８０ａに、該錘体８１に形成した二つの凸部８１ａを嵌着させることで一体としてある。尚、本実施例では、先口部材本体８０をステンレスで形成し、錘体８１を比重が重い黄銅で形成し、軸筒２を斜めにした状態においては、図１に示すように、錘体８１が重力で常に下方へ位置するよう先口部材８が回動する構成としてある。
また、先口部材８は、前端部８ｂにおける前記錘体８１と軸心に対して反対となる位置に、該前端部８ｂの一部を軸心に沿った方向へ突出させた突出部８ｉを形成してあり、軸筒２を斜めにした状態で筆記芯５を被筆記面Ｓに当接する際には、錘体８１の重さで、先口部材８が筆記芯５を回転軸にして回動して、図１に示すように、突出部８ｉが筆記芯５の外周面５ｂにおける上面に位置して該筆記芯５の筆圧による芯折れを防止することができた。
尚、筆記芯５は、先口部材８の前端部８ｂの基部８ｊから出ている長さＬ１に対し、突出部８ｉから出ている長さＬ２が短くなることで、筆記芯５が折れやすい上方への変形が防止される。本実施例では、基部８ｊから突出部８ｉの先端８ｉｉまでの長さを０．５ｍｍとし、図２Ａに示すように、側面から見て基部８ｊから突出部８ｉの先端８ｉｉまで斜めの縁辺８ｋで連続するよう構成してある。本実施例では、縁辺８ｋを、突出部８ｉのある側に向かって凹む弧状に形成することで、繰り出し操作において筆記芯５の側面が露出して、突出量を判断する基準となる基部８ｊ側が見やすい形態にしてある。本実施例では、縁辺８ｋを側面視（図２Ａの状態）した際のその半径が０．５ｍｍとなるように形成してある。
また、突出部８ｉの先端８ｉｉは、軸心と直交する径方向の平担面で形成することで前端部８ｂが鋭くならないようにしてあり、さらに、先端８ｉｉの通路８ａ側を面取部８ｉｉｉとすることで、先口部材８が回動する際における筆記芯５の傷付きを防止してある。
【００２０】
使用者は、筆記芯５を繰り出す際、図１に示す通り被筆記面Ｓに接する基部８ｊ側における筆記芯５の突出量に注目して繰り出し操作を行うことから、突出部８ｉ側からの筆記芯５の突出量は基部８ｊ側より０．５ｍｍ短くなり、筆記芯５が折れ難くなる。尚、突出部８ｉ側からの筆記芯５の突出量が短くても、通常の筆記では基部８ｉ側における筆記芯５の前端部５ａが被筆記面Ｓに接することから、特に問題はない。
また本実施例では、突出部８ｉの内面を、筆記芯５の外面に沿う円弧状の断面としたことから、筆圧が掛かった際に上方へ変形しようとする筆記芯５を、突出部８ｉが面で支えることができ、筆記芯５の前端部５ａがさらに折れ難い構造になっている。
【００２１】
筆記により、筆記芯５の前端部５ａにおける基部８ｊ側が片減りしてしまい、筆跡が太くなった場合には、軸筒２を軸周方向に半回転させることで、突出部８ｉ側にある先細となった筆記芯５の前端部５ａが基部８ｊ側に位置することとなり、細い筆跡で筆記することが可能となる。この際、先口部材８は、軸筒２を軸周方向の半回転させても、 錘体８１の重さで回動して、図１に示すように、常に突出部８ｉが筆記芯５の外周面５ｂにおける上面に位置する。
【００２２】
図４は、本実施例のシャープペンシルで連続した筆記を行っている状態を示す要部断面図である。
前述の通り、本実施例のシャープペンシル１は、先口部材８を軸筒２に対して後退可能としてあることから、筆記芯５の前端部５ａの摩耗に伴い先口部材８が後方へ移動して、筆記を継続することが可能である。このとき先口部材８の前端部８ｂは、筆記芯５の上面に位置する突出部８ｉに対し下面に位置する基部８ｊが後方へ位置し、筆記時において、先口部材８の前端部８ｂの基部８ｊが被筆記面Ｓに対して接触し難く、また筆記芯５の前端部５ａの筆記方向側（図４における右側）が被筆記面Ｓに対して接触しやすくなることから、滑らかな筆記を行えるものとなった。さらに、先口部材８の突出部８ｉが被筆記面Ｓに接触する際には、突出部８ｉの面取部８ｉｉｉが接触することで、被筆記面Ｓの傷つきを防止することができると共に、引っ掛かりがなく滑らかな筆記を継続することができた。
【符号の説明】
【００２３】
１…シャープペンシル、
２…軸筒、
３…軸筒本体、３ａ…内段、
４…口金、４ａ…開口、４ｂ…内テーパー、
５…筆記芯、５ａ…前端部、５ｂ…外周面、
６…チャック、６ａ…後端部、６ｂ…頭部、
７…芯繰出ユニット、
８…先口部材、８ａ…通路、８ｂ…前端部、
８ｃ…後方開口部、８ｄ…外テーパー、８ｅ…大径孔、
８ｆ…小径孔、８ｇ…係止孔、８ｈ…係止突起、
８ｉ…突出部、８ｉｉ…先端、８ｉｉｉ…面取部、
８ｊ…基部、８ｋ…縁辺、
８０…先口部材本体、８０ａ…凹部、
８１…錘体（錘部）、８１ａ…凸部、
９…芯タンク、９ａ…開口部、
１０…連結体、１０ａ…後方部、１０ｂ…前方部、
１０ｃ…開口部、
１１…円筒部材、１１ａ…外段、１１ｂ…内段、
１１ｃ…開口部、１１ｄ…突起部、１１ｅ…窓部、
１２…チャックスプリング、
１３…締めリング、
１４…内先口、１４ａ…内鍔、
１５…芯ホルダー、１５ａ…貫通孔、１５ｂ…小径孔、
１５ｃ…大径部、１５ｄ…小径部、
Ｓ…被筆記面。
【図１】
2017140808.tif 000003
【図２】
2017140808.tif 000004
【図３】
2017140808.tif 000005
【図４】
2017140808.tif 000006